(57)【特許請求の範囲】
【請求項１】
表示情報を目視するための表示開口が開口される上ケース部材と、前記上ケース部材とともに筐体を形成する下ケース部材と、前記筐体内に搭載され、前記表示情報を表示する表示ユニットと、前記表示開口を内方から閉塞する態様で上ケース部材の内面に当接され、前記表示情報が透視される表示ユニットカバー部材とを備える電子機器であって、
前記下ケース部材は、前記表示ユニットカバー部材の内面に当接され、前記表示ユニットカバー部材を前記上ケース部材とともに挟持し固着する固定部を備えることを特徴とする電子機器。
【請求項２】
第一の筐体に表示ユニットを備えると共に、この第一の筐体と連結された第ニの筐体に電子機器の本体を備えるように形成された電子機器であって、
前記第一の筐体は、
前記表示ユニットの表示情報を目視するための表示開口が開口される上ケース部材と、
前記上ケース部材の表示開口を内方から閉塞する態様で上ケース部材の内面に当接され、前記表示ユニットの表示情報が透視される表示ユニットカバー部材と、
前記上ケース部材と結合されることにより第一の筐体を形成するとともに、前記表示ユニットカバー部材の内面に当接され、前記表示ユニットカバー部材を前記上ケース部材とともに挟持し固着する固定部を備える下ケース部材とを具備することを特徴とする電子機器。
【請求項３】
前記電子機器は、電話機であることを特徴とする請求項１または請求項２に記載の電子機器。
【発明の詳細な説明】
【０００１】
【発明の属する技術分野】
本発明は電子機器に係り、より詳細には表示情報を表示する表示ユニットを備える電子機器の構成に関する。
【０００２】
【従来の技術】
電子機器の一つである電話機１００は、図７に示すように、電話機本体部１００Ｈと送受話に用いられる受話器(図示せず)とを備えており、電話機本体部１００Ｈと受話器とはカールコード１００ｃを介し接続されている。
【０００３】
電話機本体部１００Ｈの上面には、左側領域に受話器受け部１００ｕが配設され、右側領域には通話用操作釦１０２等が設置される操作面１００ｉが配設され、その上方にはＬＣＤ(Liquid  Crystal  Display：液晶表示)ユニットが内装される表示器１０１が揺動自在に枢結されている。
【０００４】
なお、電話機における表示器は、従来、電話機本体部と一体構造であり、通話に際しては通話先電話番号が非通話時には日時等のみが表示されていたが、昨今の情報処理技術の急速な進展により表示器にその他の情報が表示されるに至り、上記のように、表示器１０１は、使用者の目視がより容易なように電話機本体部１００Ｈに対する角度設定が自在な角度可変構造が採用されつつある。
【０００５】
上記表示器１０１は、図８に示すように、上ケース１０４と下ケース１０５とが筐体を形成し、上ケース１０４の上面中央部には外部から表示を目視するための表示開口１０４ｋが開口されている。
【０００６】
そして、筐体内には表示装置であるＬＣＤユニット１０７が収容され、上ケース１０４の裏面には、表示開口１０４ｋを閉塞する態様でＬＣＤユニット１０７による表示が透視可能である透明なＬＣＤカバー１０６が配設されている。
【０００７】
上記ＬＣＤカバー１０６は、透明なアクリルを使用し成形される樹脂製平板であり、図８(ｂ)に示すように、上部には上ケース１０４の表示開口１０４ｋに嵌合するように表示開口１０４ｋより若干狭小な面積を有する上カバー部１０６ｕが形成されており、上カバー部１０６ｕの周縁部には下方に段差面を形成している接着面１０６ｂが延設され、外周部に段差を有する平板として成形されている。
【０００８】
表示器１０１の組み立ては、まず、ＬＣＤカバー１０６の上カバー部１０６ｕ外延域に延設する接着面１０６ｂに接着剤を塗布する。
【０００９】
そして、ＬＣＤカバー１０６の上カバー部１０６ｕを上ケース１０４の表示開口１０４ｋに合わせて嵌入し、塗布された接着剤を介してＬＣＤカバー１０６の接着面１０６ｂを上ケース１０４裏面の表示開口１０４ｋ外方域に接着することにより、表示開口１０４ｋを閉塞する態様で上ケース１０４の裏面にＬＣＤカバー１０６を固着する。
【００１０】
次いで、ＬＣＤユニット１０７が内面上に設置された下ケース１０５に、上記ＬＣＤカバー１０６が固着された上ケース１０４を、複数の取り付けねじ(図示せず)を螺着することにより取り付ける。
【００１１】
【発明が解決しようとする課題】
ところで、ＬＣＤカバー１０６を上ケース１０４の裏面に接着剤を使用して固着する方法は、製品の使用に際して電話機１００が落下したり、衝撃を受けた場合にＬＣＤカバー１０６に外部から過負荷が加わると、ＬＣＤカバー１０６およびＬＣＤカバー１０６が固着される上ケース１０４上面が撓み、ＬＣＤカバー１０６が内部方向へ大きな変位をもって変形し、ＬＣＤユニット１０７へ衝撃が加わり、ＬＣＤユニット１０７が破損する、或いは、塗布された接着剤が剥離し、ＬＣＤカバー１０６と上ケース１０４との接合が外れ、ＬＣＤカバー１０６が内方へ脱落するという問題がある。
【００１２】
加えて、製造工程において、使用に供される接着剤が接着部より漏出したり、或いは、ＬＣＤカバーと上ケースとの位置ずれが生じたまま接着された場合、位置ずれ矯正のため再び個々の部材に分離し、再度、接着作業をやり直すことが困難であるという問題がある。
【００１３】
本発明は上記実状に鑑み、表示ユニット(ＬＣＤユニット)へ過負荷が加わること、或いは、表示ユニットカバー部材(ＬＣＤカバー)が機器から脱落することが未然に防止可能であり、且つ、組み立て性が良好である電子機器を提供することを目的とする。
【００１４】
【課題を解決するための手段】
上記目的を達成するべく、本発明の請求項１に関わる電子機器は、表示情報を目視するための表示開口が開口される上ケース部材と、上ケース部材とともに筐体を形成する下ケース部材と、筐体内に搭載され、表示情報を表示する表示ユニットと、表示開口を内方から閉塞する態様で上ケース部材の内面に当接され、表示情報が透視される表示ユニットカバー部材とを備える電子機器であって、下ケース部材は、表示ユニットカバー部材の内面に当接され、表示ユニットカバー部材を上ケース部材とともに挟持し固着する固定部を備えることを特徴としている。
【００１５】
本発明の請求項２に関わる電子機器は、第一の筐体に表示ユニットを備えると共に、この第一の筐体と連結された第ニの筐体に電子機器の本体を備えるように形成された電子機器であって、第一の筐体は、表示ユニットの表示情報を目視するための表示開口が開口される上ケース部材と、上ケース部材の表示開口を内方から閉塞する態様で上ケース部材の内面に当接され、表示ユニットの表示情報が透視される表示ユニットカバー部材と、上ケース部材と結合されることにより第一の筐体を形成するとともに、表示ユニットカバー部材の内面に当接され、表示ユニットカバー部材を上ケース部材とともに挟持し固着する固定部を備える下ケース部材とを具備することを特徴としている。
【００１６】
【発明の実施の形態】
以下、実施例を示す図面に基づいて、本発明を詳細に説明する。
【００１７】
電子機器である電話機１は、図１に示すように、電話機本体部(電子機器の本体)１Ｈと送受話に用いられる受話器(図示せず)とを備えており、電話機本体部１Ｈと受話器とはカールコード１ｃを介し接続されている。
【００１８】
電話機本体部１Ｈの筐体(第二の筐体)上面には、左側領域に受話器受け部１ｕが配設され、右側領域には通話用操作釦１ｂ等が設置される操作面１ｉが配設されており、その上方にはＬＣＤユニットが内装される表示器１０が回動軸部１０ｊで軸支され、揺動自在に枢結されている。
【００１９】
上記表示器１０は、図１、図２に示すように、表示を目視するための表示開口１４ｋが開口される上ケース(上ケース部材)１４と、下ケース(下ケース部材)１５とが筐体(第一の筐体)を形成し、筐体内には表示装置であるＬＣＤユニット(表示ユニット)１７が収容されている。
【００２０】
そして、上ケース１４の裏面には、表示開口１４ｋを閉塞する態様で、ＬＣＤユニット１７による表示が透視可能である透明なＬＣＤカバー(表示ユニットカバー部材)１６が配設されている。
【００２１】
上記上ケース１４は、ＡＢＳ樹脂等を使用して成形される樹脂成形品であり、図４に示すように、下方が開口される偏平な直方体形状に成形されており、上面板１４Ｕ、および上面板１４Ｕ裏面の外周に立設され、下方に向って延設される側板１４ｓ(１４ｓ1、１４ｓ2、１４ｓ3、１４ｓ4)を有し構成されている。
【００２２】
上面板１４Ｕの中央部には外部から電話機１の表示を目視するための表示開口１４ｋが開口されるとともに、上面板１４Ｕは外周部から内方部に位置するに従い下方への傾斜もって形成されている。
【００２３】
また、上面板１４Ｕの左右側方部には複数の釦孔１４ｈが穿孔されている。
【００２４】
上面板１４Ｕの裏面(上ケース部材の内面)１４Ｕbには表示開口１４ｋを内方に囲む態様で、組み立て工程においてＬＣＤカバー１６を位置決めするためのカバー位置決めリブ１４ｒが立設されている。
【００２５】
カバー位置決めリブ１４ｒは、表示開口１４ｋの側方の上面板１４Ｕの裏面１４Ｕbに一対立設されており、所定の厚さおよび高さを有し表示開口１４ｋを囲む態様で略コ字状の形状を呈し成形されている。
【００２６】
さらに、上面板１４Ｕの裏面１４Ｕbの４つの角部には、それぞれ表示器１０を組み立てるための組み立て用ボス１４ｂが立設されており、組み立て用ボス１４ｂの中央部には取り付けねじ(後述)が螺着するための雌ねじが螺刻されている。
【００２７】
また、図４(ａ)、(ｃ)に示すように、上ケース１４における釦孔１４ｈが穿孔される相対向する２つの辺側の側板１４ｓ2、および側板１４ｓ4の一端部には、それぞれ側方に向い開口される半円筒状の凹部である回動軸凹部１４ｊが成形されている。
【００２８】
回動軸凹部１４ｊは、表示器１０において、下ケース１５の回動軸凹部(後述)ともに回動軸部１０ｊを形成している。
【００２９】
前記ＬＣＤカバー１６は、透明なアクリルを使用し成形される矩形状の樹脂製平板であり、図５に示すように、上部には上ケース１４の表示開口１４ｋに嵌合するように表示開口１４ｋより若干狭小な面積を有する上カバー部１６ｕが形成されており、上カバー部１６ｕの周縁部には下方に段差面を形成している当接面１６ｂが延設され、外周部に段差を有する平板として成形されている。
【００３０】
前記ＬＣＤユニット１７は、図２(ｂ)に示すように、ＬＣＤ(Liquid  Crystal  Display)１７ａがＬＣＤスペーサー１７ｃを介してＬＣＤ駆動基板１７ｂ上に載置され構成されている。
【００３１】
なお、ＬＣＤ駆動基板１７ｂはＬＣＤ１７ａを制御するための回路基板である。
【００３２】
上記ＬＣＤ１７ａは、液晶、偏向板、およびこれらを挟持するガラス板等を具え構成されており、液晶に電圧を加えることにより液晶分子の角度を変え光の透過状態を変更し、書画像情報を表示する。
【００３３】
上記下ケース１５は、図６に示すように、ＡＢＳ樹脂等を使用して成形される樹脂成形品であり、上方が開口された偏平な直方体形状の本体部１５Ｈ、および本体部後面１５ｕに立設される角度調整用支持部１５ｃｒを有し成形されている。
【００３４】
本体部１５Ｈは、矩形の平面形状を呈する底板１５ｔと底板１５ｔの外周部に立設される側板１５ｓ(１５ｓ1、１５ｓ2、１５ｓ3、１５ｓ4)とを具え構成されている。
【００３５】
各側板１５ｓの中央域にはその内面に連続し、側板１５ｓ1には嵌合壁１５ｂ1、側板１５ｓ2には嵌合壁１５ｂ2、側板１５ｓ3には嵌合壁１５ｂ3、側板１５ｓ4には嵌合壁１５ｂ4が、それぞれ側板１５ｓ以上の高さを有して立設されている。
【００３６】
下ケース１５の嵌合壁１５ｂ(１５ｂ1、１５ｂ2、１５ｂ3、１５ｂ4)は、組み立てに際して上ケース１４の側板１４ｓ内に嵌入されることにより、下ケース１５が上ケース１４に嵌合される。
【００３７】
本体部１５Ｈの底板１５ｔ内面の４角部には、それぞれ取り付けねじ(後述)が挿通される取り付け孔１５ｈ(１５ｈ1、１５2)が穿孔され、一方側の取り付け孔１５ｈ1、１５ｈ1の廻りには、上ケース１４の組み立て用ボス１４ｂが内部に嵌入される円筒状の円筒壁１５ｅ、１５ｅが立設されている。
【００３８】
また、本体部１５Ｈの底板１５ｔの内面上には、図２(ａ)、図３、図６に示すように、組み立て時にＬＣＤカバー１６に当接し固定するために、ＬＣＤカバー１６の相対向する左右各辺の周辺部に対応しそれぞれ一対の固定リブ(下ケース部材の固定部)１５ｒ1、１５ｒ1が立設され、ＬＣＤカバー１６の上辺周辺部に対応し一対の固定リブ(下ケース部材の固定部)１５ｒ2、１５ｒ2が立設され、さらに、ＬＣＤカバー１６の下辺周辺部に対応し固定リブ(下ケース部材の固定部)１５ｒ3が立設されている。
【００３９】
上記固定リブ１５ｒ1は略Ｔ字状断面を有し、後述するように、組み立てに際して先端部がＬＣＤカバー１６の裏面１６ｒに当接するように、所定の高さに各々成形されている。
【００４０】
一対の固定リブ１５ｒ2はそれぞれ、図２(ａ)、図３(ａ)、図６(ａ)、図６(ｂ)に示すように、組み立てに際し先端部がＬＣＤカバー１６の裏面１６ｒに当接するように、固定リブ１５ｒ1と同一の高さおよび所定幅を有し長平板状に成形されている。
【００４１】
固定リブ１５ｒ3は、図２(ａ)、図３(ａ)、図６(ａ)、図６(ｂ)に示すように、組み立てに際し先端部がＬＣＤカバー１６の裏面１６ｒに当接するように、固定リブ１５ｒ1および固定リブ１５ｒ2と同一の高さ、および所定幅を有し長平板状に成形されている。
【００４２】
また、図６(ａ)に示すように、下ケース１５における側板１５ｓ2の一端部および側板１５ｓ4の一端部には、それぞれ側方に向い開口される半円筒状の凹部である回動軸凹部１５ｊが成形されている。
【００４３】
回動軸凹部１５ｊは、表示器１０において、上ケース１４の回動軸凹部１４ｊとともに回動軸部１０ｊを形成している。
【００４４】
次に、表示器１０の組み立て手順について説明する。(図２、図３参照)
まず、上ケース１４の表示開口１４ｋにＬＣＤカバー１６の上カバー部１６ｕを嵌入するとともにＬＣＤカバー１６外周部を上ケース１４のカバー位置決めリブ１４ｒ内に嵌入し、ＬＣＤカバー１６の当接面１６ｂを上ケース１４裏面の表示開口１４ｋ周辺部に当接させることによって、上ケース１４にＬＣＤカバー１６を嵌合する。
【００４５】
一方、下ケース１５内の所定位置にはＬＣＤユニット１７が設置される。
【００４６】
そして、下ケース１５に設置されたＬＣＤユニット１７の上面と上ケース１４に嵌合されたＬＣＤカバー１６間にゴムスペーサ１７ｇを挟み(図２(ｂ)参照)、次いで、上ケース１４の側板１４ｓ1内に下ケース１５の嵌合壁１５ｂ1を、側板１４ｓ2内に下ケース１５の嵌合壁１５ｂ2を、側板１４ｓ3内に下ケース１５の嵌合壁１５ｂ3を、側板１４ｓ4内に下ケース１５の嵌合壁１５ｂ4を、それぞれ嵌入することにより、上ケース１４に嵌合されたＬＣＤカバー１６の裏面１６ｒに下ケース１５の固定リブ１５ｒ(１５ｒ1、１５ｒ2、１５ｒ3)を当接させて(図３参照)、上ケース１４に、ＬＣＤユニット１７が設置された下ケース１５を嵌合する。
【００４７】
そして、図２に示すように、下ケース１５の裏面側から４つの取り付けねじ１９をそれぞれ下ケース１５の角部の取り付け孔１５ｈを挿通し、上ケース１４の組み立て用ボス１４ｂに螺着することによって表示器１０を完成する。
【００４８】
組立てられた表示器１０は、図１に示すように、回動軸部１０ｊを電話機本体部１Ｈの所定位置に軸支することにより枢結される。
【００４９】
上述したように、ＬＣＤカバー１６は、表示器１０内において、ＬＣＤカバー１６の当接面１６ｂは上ケース１４に当接されるとともに、ＬＣＤカバー１６の裏面１６ｒは下ケース１５内に立設される固定リブ１５ｒに当接されることによって、上ケース１４と下ケース１５の固定リブ１５ｒとにより挟持されることにより、固着されている。
【００５０】
上記構成によれば、下ケース１５内に立設される固定リブ１５ｒをＬＣＤカバー１６に当接することによりＬＣＤカバー１６を上ケース１４と下ケース１５間で保持固定するので、電子機器の使用時に外部からＬＣＤカバー１６へ過負荷が加わっても、ＬＣＤカバー１６を支持する固定リブ１５ｒを介してＬＣＤユニット１７が設置される下ケース１５へ過負荷が伝わるので、ＬＣＤカバー１６とともに下ケース１５も同時に変形し、ＬＣＤカバー１６が表示器１０内のＬＣＤユニット１７に接触することが防止され、ＬＣＤユニット１７に過負荷が加わることが防止される。
【００５１】
また、ＬＣＤカバー１６は、外部から過負荷が加わっても裏面から固定リブ１５ｒにより支持されるので、表示器１０内の設置位置より脱落することが防止される。
【００５２】
このように、ＬＣＤカバー１６は、上ケース１４と下ケース１５の固定リブ１５ｒとによって挟持され固着されるので、ＬＣＤカバー１６を固着するために接着剤を使用する必要がなく、接着作業における接着部以外への接着剤の漏出の問題が解決される。
【００５３】
また、接着作業における、ＬＣＤカバー１６を上ケース１４に一度接着したら個々の部材に再度分離することが困難で、接着作業のやり直しが事実上不可能であるという問題が解決される。
【００５４】
また、製品として使用時、ＬＣＤカバー固着用の接着剤が経時変化により劣化し、ＬＣＤカバー１６が設置位置より脱落するという問題が解決される。
【００５５】
さらに、製造工程において、ＬＣＤカバー１６は接着剤を使用することなく上ケース１４と下ケース１５間に挟持するだけで固着されるので、組み立て作業が容易で組み立て性が良好であり、製造コストが低減される。
【００５６】
上述した如く、本発明により、ＬＣＤユニットへ過負荷が加わること、或いは、ＬＣＤカバーが機器から脱落することが未然に防止可能であり、且つ、組み立て性が良好である低コストの電子機器を実現できる。
【００５７】
なお、上述した実施例においては、下ケース内に立設される固定リブを前述のように構成したが、固定リブの形状は、例えば、楕円状断面を有する形状、或いは、固定リブの角部にＲを形成する、面取りを行う形状等、その他の様々な形状が採用可能であることは言うまでもない。
【００５８】
同様に、固定リブの位置は、ＬＣＤカバーを確実に支持、固着できるのであれば、３ヶ所、或いは５ヶ所に設置する等、上述以外のその他の固定リブの設置位置を採用可能であることは言うまでもない。
【００５９】
なお、上述した実施例においては、電子機器における表示ユニットとしてＬＣＤユニットを例示したが、ＬＣＤユニット以外の表示ユニットを有する電子機器に、本発明に関わる電子機器を有効に適用し得ることは言うまでもない。
【００６０】
また、上述した実施例においては、電子機器として本体部と別体に構成される表示器を有する電話機を例示しているが、その他の本体部と別体に構成される表示器を有する電子機器に、本発明に関わる電子機器を有効に適用し得ることは当然である。
【００６１】
また、表示器が本体部と一体である電子機器、例えば携帯電話、ＰＤＡ(Personal  Digital  Asistant：携帯情報端末)等の上述の実施例以外の電子機器にも、本発明に関わる電子機器を有効に適用し得るものである。
【００６２】
【発明の効果】
以上、詳述した如く、本発明の請求項１に関わる電子機器は、表示情報を目視するための表示開口が開口される上ケース部材と、上ケース部材とともに筐体を形成する下ケース部材と、筐体内に搭載され、表示情報を表示する表示ユニットと、表示開口を内方から閉塞する態様で上ケース部材の内面に当接され、表示情報が透視される表示ユニットカバー部材とを備える電子機器であって、下ケース部材は、表示ユニットカバー部材の内面に当接され、表示ユニットカバー部材を上ケース部材とともに挟持し固着する固定部を具えることを特徴としている。
【００６３】
したがって、本発明の請求項１に関わる電子機器によれば、表示ユニットカバー部材が上ケース部材と下ケース部材の固定部により挟持され固着されるので、表示ユニットカバー部材に過負荷が加わっても下ケース部材の固定部により支持され、筐体内の表示ユニットに過負荷が加わることが防止される。
【００６４】
また、表示ユニットカバー部材に外部から過負荷が加わっても、上ケース部材と下ケース部材の固定部により挟持されるので、装置から脱落することが防止される。
【００６５】
また、表示ユニットカバー部材は上ケース部材と下ケース部材の固定部により挟持され固着されるので、組み立て性が良好であり、製造コストが低減される。
【００６６】
したがって、本発明の請求項１に関わる電子機器によれば、表示ユニットへ過負荷が加わること、或いは、表示ユニットカバー部材が装置から脱落することが未然に防止可能であり、且つ、組み立て性が良好である電子機器を達成することが可能となる。
【００６７】
本発明の請求項２に関わる電子機器は、第一の筐体に表示ユニットを備えると共に、この第一の筐体と連結された第ニの筐体に電子機器の本体を備えるように形成された電子機器であって、第一の筐体は、表示ユニットの表示情報を目視するための表示開口が開口される上ケース部材と、上ケース部材の表示開口を内方から閉塞する態様で上ケース部材の内面に当接され、表示ユニットの表示情報が透視される表示ユニットカバー部材と、上ケース部材と結合されることにより第一の筐体を形成するとともに、表示ユニットカバー部材の内面に当接され、表示ユニットカバー部材を上ケース部材とともに挟持し固着する固定部を備える下ケース部材とを具備することを特徴としている。
【００６８】
したがって、本発明の請求項２に関わる電子機器によれば、表示ユニットカバー部材が上ケース部材と下ケース部材の固定部により挟持され固着されるので、表示ユニットカバー部材に過負荷が加わっても下ケース部材の固定部により支持され、筐体内の表示ユニットに過負荷が加わることが防止される。
【００６９】
また、表示ユニットカバー部材に外部から過負荷が加わっても、上ケース部材と下ケース部材の固定部により挟持されるので、装置から脱落することが防止される。
【００７０】
また、表示ユニットカバー部材は上ケース部材と下ケース部材の固定部により挟持され固着されるので、組み立て性が良好であり、製造コストが低減される。
【００７１】
したがって、本発明の請求項２に関わる電子機器によれば、表示ユニットへ過負荷が加わること、或いは、表示ユニットカバー部材が装置から脱落することが未然に防止可能であり、且つ、組み立て性が良好である表示器を具備する電子機器を達成することが可能となる。
【図面の簡単な説明】
【図１】    (ａ)および(ｂ)は本発明に関わる電子機器の実施例を示す正面図および側面図。
【図２】    (ａ)および(ｂ)は、図１の電子機器における表示器の正面図、およびＡ−Ａ線断面図。
【図３】    (ａ)および(ｂ)は、図２の電子機器における表示器のＢ−Ｂ線断面図、およびＣ−Ｃ線断面図。
【図４】    (ａ)、(ｂ)、(ｃ)は、図１の電子機器における表示器の上ケースの正面図、Ｂ−Ｂ線断面図、Ｃ−Ｃ線断面図。
【図５】    (ａ)、(ｂ)、(ｃ)は、図１の電子機器における表示器のＬＣＤカバーの正面図、Ｂ−Ｂ線断面図、Ｃ−Ｃ線断面図。
【図６】    (ａ)、(ｂ)、(ｃ)、(ｄ)は、図１の電子機器における表示器の下ケースの正面図、Ｂ−Ｂ線断面図、Ｃ−Ｃ線断面図、Ｄ−Ｄ線断面図。
【図７】    (ａ)および(ｂ)は従来の電話機を示す正面図および側面図。
【図８】    (ａ)および(ｂ)は、従来の電話機における表示器の概念的な要部縦断面図、および表示器を分解した状態の斜視図。
【符号の説明】
１…電話機(電子機器)、
１Ｈ…電話機本体部(電子機器の本体)、
１０…表示器、
１４…上ケース(上ケース部材)、
１４ｋ…表示開口、
１４Ｕb…上ケースの上面板１４Ｕの裏面(上ケース部材の内面)、
１５…下ケース(下ケース部材)、
１５ｒ(１５ｒ1、１５ｒ2、１５ｒ3)…下ケースの固定リブ(下ケース部材の固定部)、
１６…ＬＣＤカバー(表示ユニットカバー部材)、
１６ｒ…ＬＣＤカバーの裏面(表示ユニットカバー部材の内面)、
１７…ＬＣＤユニット(表示ユニット)。
【図１】
0004467828.tif 000002
【図２】
0004467828.tif 000003
【図３】
0004467828.tif 000004
【図４】
0004467828.tif 000005
【図５】
0004467828.tif 000006
【図６】
0004467828.tif 000007
【図７】
0004467828.tif 000008
【図８】
0004467828.tif 000009